【事件の表示】
　特願２００３−３７３８３７「弾球遊技機」拒絶査定不服審判事件〔平成１７年　５月２６日出願公開、特開２００５−１３１３２９〕について、次のとおり審決する。
【結　論】
　本件審判の請求は、成り立たない。
【理　由】
 　
第一、手続きの経緯
　本願は、平成１５年１０月３１日の出願であって、平成１７年１２月１９日付けで拒絶理由が通知され、これに対し、平成１８年３月３日付けで手続補正がなされ、同年４月３日付けで拒絶査定がなされ、これに対し、同年５月１１日に拒絶査定不服の審判請求がなされるとともに、同年５月２６日付け手続補正書によって明細書の一部が補正されたものである。
　
第二、平成１８年５月２６日付けの手続補正についての補正却下の決定
［補正却下の決定の結論］
　平成１８年５月２６日付けの手続補正（以下、「本件補正」という。）を却下する。
［理由］
　（１）補正前・後の本願発明　　
　本件補正は、補正前（平成１８年３月３日付け手続補正により補正された特許請求の範囲）の請求項１乃至３のうち、請求項１に記載された、
　「　遊技球の流下方向に変化を与える遊技部材を備える遊技盤と、
　前記遊技盤を取り付ける本体部と、
　遊技動作を制御する主制御基板と、
　所定の表示領域を有する表示装置と、
　前記遊技動作に応じて、前記表示領域における所定の演出を表示制御する副制御基板とを備え、
　前記遊技盤の少なくとも一部は透光性部材で形成され、
　前記表示装置は、前記表示領域が前記透光性部材を介して視認可能になるよう前記本体部に備えられ、
　前記副制御基板は、前記演出に関する情報を記憶した着脱可能な記憶手段を有し、前記本体部に備えられることを特徴とする弾球遊技機。」を、
　「　遊技球の流下方向に変化を与える遊技部材を備える遊技盤と、
　前記遊技盤を取り付ける本体部と、
　所定の表示領域を有
し、裏面の略全域に導電体が配備されている
　
前記導電体の裏側に設けられ、
　
前記表示装置の裏面と平行な方向で前記主制御基板と並び前記導電体の裏側に設けられ、
　前記遊技盤の少なくとも一部は透光性部材で形成され、
　前記表示装置は、前記表示領域が前記透光性部材を介して視認可能になるよう前記本体部に備えられ、
　前記副制御基板は、前記演出に関する情報を記憶した着脱可能な記憶手段を有し、前記本体部に備えられることを特徴とする弾球遊技機。」と補正するものである。
　
　上記補正は、補正前の特許請求の範囲の請求項１に記載された発明を特定するために必要な事項である「表示装置」について「裏面の略全域に導電体が配備されている」と限定し、同「主制御基板」について「導電体の裏側に設けられ」と限定し、同「副制御基板」について「表示装置の裏面と平行な方向で前記主制御基板と並び前記導電体の裏側に設けられ」と限定するものであるから、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　（２）そこで、本件補正後の請求項１に記載された発明（以下、「本願補正発明」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
刊行物１；特開２００２−２００２３１号公報
刊行物２；特開平６−１２１８７１号公報
　
　原査定の拒絶理由通知に引用された、特開２００２−２００２３１号公報（以下、「引用刊行物１」という。）には、以下の記載がある。
　（１−１）「【０００７】詳述すると、従来遊戯板に描かれていた画像に替えて、遊戯板の背面に設置したモニター部に電気的に画像を表示し、それを透明な遊戯板を透視して遊戯者が目視可能なパチンコ遊戯機とすることにより、パチンコ遊戯機の本体を交換しなくとも、パチンコ遊戯の種類を変更することが可能なパチンコ遊戯機を提供することを課題とする。」、　
　（１−２）「【０００９】このように構成することで、従来、パチンコ遊戯機を交換することでしか行うことができなかったパチンコ遊戯機の遊戯の種類の変更を、前記記憶手段に記憶させたパチンコ遊戯機制御プログラムを交換するだけで変更することが可能となる。ここで、「パチンコ遊戯機制御プログラム」とは、パチンコ遊戯機の動作を制御するために前記制御手段上で実行されるプログラムであり、パチンコ遊戯機の機種毎に異なるものである。
【００１０】また、このように構成することで、従来は、遊戯板上に直接絵が描かれており、パチンコ遊戯機を交換することでしか変更することができなかった絵に替わって、モニター部に電気的に画像を表示することとしたので、パチンコ遊戯機を交換しなくとも画像を変更することが可能となる。
【００１１】さらに、このように構成することで、前記パチンコ遊戯機制御プログラムに従い、制御手段がモニター部に表示する画像と出玉とを連繋して制御することが可能となる。」、　
　（１−３）「【００３０】本発明の第９の構成は前記記憶手段は、着脱可能な記憶媒体を有し、この記憶媒体を交換することで前記パチンコ遊戯機制御プログラムが変更可能に構成されることを特徴とする前記第１〜第８のいずれかの構成に記載のパチンコ遊戯機である。
【００３１】このような構成にすることによって、記憶媒体を交換することで記憶手段に記憶させるパチンコ遊戯機制御プログラムを変更することが可能となり、パチンコ遊戯機の交換作業をしなくともパチンコ遊戯機の遊戯の種類の変更を行うことが可能となる。」、　
　（１−４）【００３６】図１は本発明の第１の実施形態を示す分解斜視図である。本実施の形態のパチンコ遊戯機は、遊戯機本体１と、遊戯機本体１の前面に画像１１を表示するためのモニター部２が嵌め込まれ固定されている。このモニター部２は後述の遊戯板３とほぼ同じ形状である。さらに、このモニター部２の全面には、モニター部２を透視可能なように透明な材料からなる遊戯板３が設けられている。
【００３７】・・・また、図示はしないが、遊戯機本体内部には、コントロール基盤が設置されており、コントロール基盤中の記憶手段に記憶されたパチンコ遊戯機制御プログラムに従い制御手段が、前記モニター部２に表示する画像１１および出玉を制御している。」、
　（１−５）「【００３９】また、透明な遊戯板３上には、従来の遊戯板と同様に多数の釘７とともに遊戯球の進路を規制する規制板８が存在している。・・・
【００４０】・・・遊戯板３は、モニター部２の前面にモニター部２を透視できるように配置され、その結果、遊戯中に遊戯者は透明な遊戯板３上を転動する遊戯球と背面のモニター部２の画像１１とを同時に重ね合わせて目視することとなる。遊戯板３は、例えばアクリル樹脂（ＰＭＭＡ）等の透明な樹脂から製造されている。
【００４１】また、図示しないコントロール基盤は、複数のパチンコ遊戯機制御プログラムを記憶した記憶媒体を有した記憶手段と、このパチンコ遊戯機制御プログラムが実行される制御手段とを有している。制御手段上で実行されるパチンコ遊戯機制御プログラムに従い、後述する遊戯球測定手段、モニター部２に表示される画像１１及び出玉等が制御される。
【００４２】また、異なるパチンコ遊戯機制御プログラムを記憶した記憶媒体を交換することで、異なる種類の遊戯をそのパチンコ遊戯機で実行することが可能となる。つまり、そのパチンコ遊戯機で実行できるパチンコ遊戯機制御プログラムを変更することが可能となる。記憶媒体としては、パチンコ遊戯機制御プログラムが保存可能なＲＯＭ等公知のものを使用することが可能である。
【００４３】モニター部２に表示されている画像１１も、パチンコ遊戯機制御プログラムを別のものとすることで変更される。このように、本発明では、パチンコ遊戯機を交換しなくとも、パチンコ遊戯機制御プログラムを変更することで、容易にパチンコ遊戯の種類を変更することが可能となる。」。　
　　　　　
　したがって、これらの記載をまとめると、引用刊行物１には、
「　遊戯機本体１と、遊戯機本体１の前面に画像１１を表示するためのモニター部２が嵌め込まれ固定され、このモニター部２の前面には、モニター部２を透視可能なように透明な材料からなる遊戯板３が設けられ、
　遊戯板３の背面に設置したモニター部２に電気的に表示された画像１１を、透明な遊戯板３を透視して遊戯者が目視可能とし、
　異なるパチンコ遊戯機制御プログラムを記憶した記憶媒体を着脱可能に交換することで、異なる種類の遊戯を実行することが可能となるパチンコ遊戯機において、
　透明な遊戯板３上には、多数の釘７とともに遊戯球の進路を規制する規制板８が存在し、
　モニター部２に表示される画像１１は、パチンコ遊戯機制御プログラムを別のものとすることで変更され、
　遊戯機本体内部には、コントロール基盤が設置され、当該コントロール基盤は、パチンコ遊戯機の動作を制御するために実行されるパチンコ遊戯機制御プログラムを記憶した記憶媒体を有した記憶手段と、このパチンコ遊戯機制御プログラムが実行される制御手段とを有し、
　コントロール基盤中の記憶手段に記憶されたパチンコ遊戯機制御プログラムに従い制御手段が、前記モニター部２に表示する画像１１と出玉とを連繋して制御する、パチンコ遊戯機。」の発明（以下、「引用発明１」という。）が記載されていると認められる。
　
　原査定時に通知された、特開平６−１２１８７１号公報（以下、「引用刊行物２」という。）には、以下の記載がある。　
　（２−１）「【００１７】
【実施例】以下、本発明の実施例を図面に基づいて説明する。
【００１８】図１はパチンコ遊技機１の前面斜視図で、・・・」、　
　（２−２）「【００２０】図２のように遊技盤３の表面には、ガイドレ−ル１６で囲われた遊技部１７のほぼ中央に遊技映像、情報を表示可能な映像表示装置２０が、その下方に変動入賞装置２１が配設される。」、　
　（２−３）「【００２４】映像表示装置２０は、図３〜図８のように遊技盤３の表面から遊技盤３に設けられた開口部（図示されない）に装着される前面ユニット３０、および遊技盤３の裏面側に配設される映像表示ユニット３１からなる。」、　
　（２−４）「【００２９】映像表示ユニット３１は、液晶表示器（映像表示器）４４のフレーム４５に支持された液晶表示パネル（映像表示パネル）４６の背面にバックライト４７が配設されると共に、フレーム４５の裏面にバックライトカバー４８が嵌め合わされ、このカバー４８を間にバックフレーム４９を介して制御基板（映像制御装置）５０が組付けられ、これがユニットケース５１の前ケース５２に収装される。」、　
　（２−５）「【００３２】映像制御装置５０には、遊技用の表示データが格納されたカセット式のメモリ１１１（後述する）のコネクタ６０が設けられる。」、　
　（２−６）「【００５１】バックライト４７から発生するノイズは、映像制御装置５０との間に設けたノイズ遮断部材のバックライトカバー４８によって遮断され、映像制御装置５０に影響を及ぼすことはない。
【００５２】遊技盤を入替えるとき等、映像表示ユニット３１を再利用することが可能であり、その映像表示ユニット３１を新しく入れる遊技盤に取付ければ、入替え費用を大幅に削減することができる。映像制御装置５０にはコネクタ６０にカセット式のメモリ１１１を交換できるようになっており、そのメモリ１１１を新機種の遊技用の表示データを格納したものに変えることで、最新の遊技を実現でき、種々対応できる。」、　
　（２−７）「【００６６】９９は打球発射装置の制御装置、１００は遊技盤３の各入賞装置、表示装置等を制御する遊技制御装置である。
【００６７】図１１は遊技制御装置１００、映像制御装置５０の制御系のブロック構成を示す。
【００６８】遊技制御装置１００は、役物用ＣＰＵ１０１、ＲＯＭ１０２、ＲＡＭ１０３、バッファゲート１０４、出力ポート１０５等からなり、ＲＯＭ１０２に定めたプログラムデータおよび始動口２２の始動スイッチ２３、普図始動口８４ａ，８４ｂの普図始動スイッチ８５、変動入賞装置２１の大入賞口７６内の継続スイッチ７９、カウントスイッチ８０等からの信号に基づいて、映像制御装置５０に表示制御信号を出力すると共に、記憶表示器３８、変動入賞装置２１の開閉扉７７の駆動ソレノイド７８、普通図柄表示器８７、記憶表示器８８、始動口２２の開閉翼８２ａ，８２ｂの駆動ソレノイド８３、各ランプ、ＬＥＤ等を制御する。
【００６９】映像制御装置５０は、ＲＯＭ、ＲＡＭを内蔵した表示器用ＣＰＵ１０８、ＶＤＰ（ビデオディスプレイプロセッサ）１０９、Ｖ−ＲＡＭ１１０ａ，１１０ｂ、フォントＲＯＭ１１１，１１２等からなり、遊技制御装置１００からの表示制御信号および球貸機１０からの表示要求信号等に基づいて、映像表示器４４の映像を制御する。
【００７０】ＶＤＰ１０９は、フォントＲＯＭ１１１，１１２のデータをＶ−ＲＡＭ１１０ａ，１１０ｂにセットすると共に、映像表示器４４に出力する。
【００７１】フォントＲＯＭ１１１は、遊技図柄表示データ（確率変動遊技用の図柄表示データを含む）、ディスプレイ表示データ、遊技情報表示データ等の遊技用表示データを格納しており、図３〜図８のように交換自由に設けることで、データを変更できるようになっている。」。
　
　（２−８）また、映像表示ユニットの部分分解斜視図である【図７】及び映像表示部分の分解斜視図である【図８】には「フレーム４５の矩形状裏側面の略全域を覆うバックライトカバー４８」及び「液晶表示器（映像表示器）４４裏面のバックライトカバー４８の裏側に設けられている映像制御装置５０」の技術事項が示されている。　
　
　したがって、これらの事項をまとめると、引用刊行物２には、
「　遊技映像、情報を表示可能な映像表示装置２０は、遊技盤３に設けられた開口部に装着される前面ユニット３０、および遊技盤３の裏面側に配設される映像表示ユニット３１からなり、
　当該映像表示ユニット３１は、液晶表示器（映像表示器）４４のフレーム４５に支持された液晶表示パネル（映像表示パネル）４６の背面にバックライト４７が配設されると共に、フレーム４５の矩形状裏側面の略全域を覆うバックライトカバー４８が該フレーム４５の裏面に嵌め合わされ、このカバー４８を間にバックフレーム４９を介して該バックライトカバー４８の裏側に制御基板（映像制御装置）５０が組付けられ、
　当該映像制御装置５０には、遊技用の表示データが格納されたカセット式のメモリ１１１を交換できるようにコネクタ６０が設けられ、
　バックライト４７から発生するノイズは、映像制御装置５０との間に設けたノイズ遮断部材のバックライトカバー４８によって遮断され、映像制御装置５０に影響を及ぼすことはない、パチンコ遊技機１であって、
　役物用ＣＰＵ１０１、ＲＯＭ１０２、ＲＡＭ１０３等からなる遊技制御装置１００は、遊技盤３の各入賞装置、表示装置等を制御するものであり、映像制御装置５０に表示制御信号を出力し、
　表示器用ＣＰＵ１０８等からなる映像制御装置５０は、遊技制御装置１００からの表示制御信号に基づいて、映像表示器４４の映像を制御する、パチンコ遊技機１。」の発明（以下、「引用発明２」という。）が記載されていると認められる。
　　　
　（い）本願補正発明と引用発明１との比較・検討
　（い−１）引用発明１の「遊戯球」は、本願補正発明の「遊技球」に相当し、以下同様に、「多数の釘７」及び「遊戯球の進路を規制する規制板８」は「遊技球の流下方向に変化を与える遊技部材」に、「遊戯板３」は「遊技盤」に、「遊戯機本体１」は「本体部」に、「モニター部２」は「表示装置」に、「着脱可能」は「着脱可能」に、「記憶媒体」は「記憶手段」に、「パチンコ遊戯機」は「弾球遊技機」に、それぞれ相当する。
　（い−２）引用発明１の「遊戯板３」は、「遊戯板３の背面に設置したモニター部２に電気的に表示された画像１１を、透明な遊戯板３を透視して遊戯者が目視可能」とするものであるから、引用発明１は、本願補正発明の「遊技盤の少なくとも一部は透光性部材で形成され」に相当する構成を有していると認められる。
　（い−３）引用発明１の「モニター部２」は、「画像１１を電気的に表示」するためのもので、「遊戯機本体１の前面に嵌め込まれ固定され」るものであり、また引用発明１は「遊戯板３の背面に設置したモニター部２に電気的に表示された画像１１を、透明な遊戯板３を透視して遊戯者が目視可能」とするものであるから、引用発明１が、本願補正発明の「所定の表示領域を有する表示装置」に相当する構成、及び「表示装置は、表示領域が透光性部材を介して視認可能になるように本体部に備えられ」に相当する構成を有していることは技術常識から明らかである。
　（い−４）引用発明１の「パチンコ遊戯機制御プログラムを記憶した記憶媒体を有した記憶手段と、このパチンコ遊戯機制御プログラムが実行される制御手段とを有するコントロール基盤」と、本願補正発明の「遊技動作を制御する主制御基板」及び「遊技動作に応じて、表示領域における所定の演出を表示制御する副制御基板」を組み合わせた技術事項とを比較すると、引用発明１の「コントロール基盤の制御手段」は、パチンコ遊戯機の動作を制御するために実行されるパチンコ遊戯機制御プログラムに従い、モニター部２に表示する画像１１と出玉とを連繋して制御する、即ち「遊技動作を制御する」及び「遊技動作に連繋して、モニター部２に表示する画像１１を表示制御する」のであるから、引用発明１の「コントロール基盤」と、本願補正発明の「主制御基板」及び「副制御基板」とは、「遊技動作を制御、及び遊技動作に応じて、表示領域における所定の演出を表示制御する制御機構」において共通する。
　（い−５）引用発明１の「遊戯機本体内部に設置されるコントロール基盤」と、本願補正発明の「副制御基板は、演出に関する情報を記憶した着脱可能な記憶手段を有し、本体部に備えられる」の技術事項とを比較すると、引用発明１の「モニター部２に表示される画像１１」は、「パチンコ遊戯機制御プログラムを別のものとすることで変更され」る、即ち「パチンコ遊戯機制御プログラムを記憶した記憶媒体を着脱可能に交換する」ことで変更されるものであるから、引用発明１は、本願補正発明と比較して、「制御機構は、演出に関する情報を記憶した着脱可能な記憶手段を有し、本体部に備えられる」の技術事項において共通する。
　　
　そうすると、両者の一致点及び相違点は次のとおりである。
　一致点
　遊技球の流下方向に変化を与える遊技部材を備える遊技盤と、
　本体部と、
　所定の表示領域を有している表示装置と、
　遊技動作を制御、及び前記遊技動作に応じて、前記表示領域における所定の演出を表示制御する制御機構とを備え、
　前記遊技盤の少なくとも一部は透光性部材で形成され、
　前記表示装置は、前記表示領域が前記透光性部材を介して視認可能になるよう前記本体部に備えられ、
　前記制御機構は、前記演出に関する情報を記憶した着脱可能な記憶手段を有し、前記本体部に備えられる、弾球遊技機。
　
　相違点
　（Ａ）遊技盤が、本願補正発明では本体部に取り付けられるのに対し、引用発明１では遊技盤（遊戯板３）の背面に設置した表示装置（モニター部２）が本体部（遊戯機本体１）に取り付けられ、遊技盤と本体部との取付手段は明らかでない点。
　（Ｂ）表示装置が、本願補正発明では裏面の略全域に導電体が配備されているのに対し、引用発明１では導電体が配備されているかどうか明らかでない点。
　（Ｃ）本願補正発明では、遊技動作を制御する主制御基板と、前記遊技動作に応じて、表示領域における所定の演出を表示制御する副制御基板とが、表示装置の裏面と平行な方向で並び導電体の裏側に設けられているのに対し、引用発明１では制御機構（コントロール基盤）が本体部（遊戯機本体内部）に設置されている点。
　（Ｄ）演出に関する情報を記憶した着脱可能な記憶手段を、本願補正発明では副制御基板が有するのに対し、引用発明１では制御機構（コントロール基盤）が有する点。
　
　そこで、上記相違点について検討する。
　相違点（Ａ）について　
　遊技盤の弾球遊技機に対する取付手段をどのようなものとするかは、組立時の作業性や点検時の容易性などを考慮して、当業者が適宜なし得る設計上の事項であり、また「本体部に取り付けられる遊技盤」が、例えば特開平１１−２７６６７７号公報に示された「ミドルプレート１２２を介して前面枠４に設けられた画像表示手段５３の表示画面を視認可能とする、前面枠４（本願補正発明の「本体部」に相当）に交換可能に取り付けられる遊技盤３（本願補正発明の「遊技盤」に相当）」（【００２１】乃至【００２３】、及び【図５】参照）、特開平７−８６０７号公報に示された「枠体４に取り付けられた可変表示装置１５の表示部２７を視認可能とする、枠体４に着脱可能に取り付けられる遊技盤６」（【要約】に記載された【構成】、及び【００２９】、並びに【図５】参照）のように周知・慣用の技術（以下、「周知・慣用の技術１」という。）であることを併せて考慮すれば、遊技盤の近傍に設置された表示装置が本体部に取り付けられた引用発明１に、上記「周知・慣用の技術１」を適用し、相違点（Ａ）に係る本願補正発明を特定する事項とすることは当業者が容易になし得ることである。
　相違点（Ｂ）について　
　裏面の略全域に導電体が配備されている表示装置は、例えば引用発明２に示された「裏面の略全域にノイズ遮断部材のバックライトカバー４８が配備されている液晶表示器（映像表示器）４４」（ここで、ノイズを遮断するための部材が導電体で構成されることは、当該技術分野においては技術常識である。）、特開平６−３０４３１４号公報に示された「裏面の略全域にノイズ遮断部材のバックライトカバー５１が配備されている液晶表示器（映像表示器）４７」（【００２７】、及び【００７５】、並びに【図８】参照）のように周知・慣用の技術（以下、「周知・慣用の技術２」という。）であるから、当該「周知・慣用の技術２」を引用発明１の表示装置に適用して、相違点（Ｂ）に係る本願補正発明を特定する事項とすることは、当業者が容易になし得たものである。
　相違点（Ｃ）について　
　「遊技動作を制御する主制御基板と、前記遊技動作に応じて、表示領域における所定の演出を表示制御する副制御基板とを備えた弾球遊技機において、表示装置の裏面の導電体の裏側に設けられている、副制御基板」は、例えば引用発明２に示された「遊技盤３の各入賞装置、表示装置等を制御する遊技制御装置１００（本願補正発明の「主制御基板」に相当）と、映像表示器４４の映像を制御する映像制御装置５０（本願補正発明の「副制御基板」に相当）とを備えたパチンコ遊技機１（本願補正発明の「弾球遊技機」に相当）において、液晶表示器（映像表示器）４４（本願補正発明の「表示装置」に相当）の裏面のノイズ遮断部材であるバックライトカバー４８（本願補正発明の「導電体」に相当）の裏側に設けられている、映像制御装置５０（本願補正発明の「副制御基板」に相当）」、及び前記特開平６−３０４３１４号公報に示された「遊技盤３の各入賞装置、表示装置等を制御する遊技制御装置１０５と、映像表示器４７（映像表示パネル４９）の映像を制御する映像表示装置２０の制御ユニット４５とを備えたパチンコ遊技機１において、液晶表示器（映像表示器）４７の裏面のノイズ遮断部材であるバックライトカバー５１の裏側に設けられている、映像表示装置２０の制御ユニット４５」（【００２７】、【００５３】、【００５５】、【００５６】及び【００７５】、並びに【図６】乃至【図８】参照）のように周知・慣用の技術（以下、「周知・慣用の技術３」という。）である。そして、主制御基板と副制御基板とを弾球遊技機に対し、どのように取り付けるかは当業者が適宜なし得る設計上の事項であり、また主制御基板と副制御基板とを取付部分の平面に対し並べて配置することが、例えば特開２０００−１１６９１５号公報に示された「遊技盤２裏面に取り付けられた遊技制御装置５１及び表示制御装置５２」（【００３７】及び【図３】並びに【図６】参照）、特開２０００−１４０３５５号公報に示された「遊技盤２裏面に取り付けられた主制御部３及び図柄制御部４」（【０００７】及び【図１】参照）のように周知・慣用の技術（以下、「周知・慣用の技術４」という。）であることを併せて考慮すれば、当該「周知・慣用の技術３及び４」を引用発明１の制御機構に適用して、相違点（Ｃ）に係る本願補正発明を特定する事項とすることは、当業者が容易になし得たものである。
　相違点（Ｄ）について　
　「主制御基板と副制御基板とを備えた弾球遊技機において、演出に関する情報を記憶した記憶手段を着脱可能とする副制御基板」は、例えば引用発明２に示された「遊技制御装置１００（本願補正発明の「主制御基板」に相当）と映像制御装置５０（本願補正発明の「副制御基板」に相当）とを備えたパチンコ遊技機１（本願補正発明の「弾球遊技機」に相当）において、遊技用の表示データ（本願補正発明の「演出に関する情報」に相当）が格納されたカセット式のメモリ１１１（本願補正発明の「記憶手段」に相当）を交換できる（本願補正発明の「着脱可能」に相当）映像制御装置５０」、及び前記特開平７−８６０７号公報に示された「役物回路２４と可変表示装置１５の制御部２８とを備えたパチンコ遊技機１において、遊技内容の絵柄に応じた制御データーが格納されたデーター格納手段２９を着脱可能に装着する可変表示装置１５の制御部２８」（【００２５】、【００３０】、【００４５】及び【図２】並びに【図４】参照）、並びに前記特開平６−３０４３１４号公報に示された「遊技制御装置１０５と映像表示装置２０の制御ユニット４５とを備えたパチンコ遊技機１において、遊技用の表示データを格納したカセット式のフォントＲＯＭ１２４を交換できる、映像表示装置２０の制御ユニット４５」（【００５５】、【００５６】、【００５９】及び【００７６】、並びに【図６】【図７】及び【図９】参照）のように周知・慣用の技術（以下、「周知・慣用の技術５」という。）である。したがって、当該「周知・慣用の技術５」を引用発明１の制御機構に適用して、相違点（Ｄ）に係る本願補正発明を特定する事項とすることは、当業者が容易になし得たものである。
　　
　また、引用発明１は、遊技の種類を容易に変更することが可能なものであるから、本願補正発明が格別の効果を奏するものとは認められない。
　
　したがって、本願補正発明は、引用発明１及び「周知・慣用の技術１乃至５」に基づいて、当業者が容易に発明をすることができたものであるから、特許法第２９条第２項の規定により特許出願の際独立して特許を受けることができないものである。
　
　（う）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成１８年５月２６日付けの手続補正は上記のとおり却下されることとなったので、本願の請求項１乃至３に係る発明は、上記平成１８年３月３日付けで補正された明細書の記載からみて、その特許請求の範囲の請求項１乃至３に記載された事項により特定されるものと認められるところ、その請求項１に記載された発明を再掲すると次のとおりのものである。
　「遊技球の流下方向に変化を与える遊技部材を備える遊技盤と、
　前記遊技盤を取り付ける本体部と、
　遊技動作を制御する主制御基板と、
　所定の表示領域を有する表示装置と、
　前記遊技動作に応じて、前記表示領域における所定の演出を表示制御する副制御基板とを備え、
　前記遊技盤の少なくとも一部は透光性部材で形成され、
　前記表示装置は、前記表示領域が前記透光性部材を介して視認可能になるよう前記本体部に備えられ、
　前記副制御基板は、前記演出に関する情報を記憶した着脱可能な記憶手段を有し、前記本体部に備えられることを特徴とする弾球遊技機。」（以下、「本願発明」という。）
　
　（ア）刊行物に記載された発明
　原査定の拒絶理由通知に引用された引用刊行物１（特開２００２−２００２３１号公報）及び原査定時に通知された引用刊行物２（特開平６−１２１８７１号公報）に記載された事項は前記「第二、（２）（あ）刊行物に記載された発明」に記載された事項と同様であるから、援用する。
　
　（イ）本願発明と引用発明１との比較・検討
　両者を比較・検討すると、その内容は、前記「第二、（２）（い）本願補正発明と引用発明１との比較・検討」の欄の「（い−１）乃至（い−５）」に記載された事項と同様であるから、援用する（但し、「本願補正発明」は「本願発明」と読み替える）。
　　　
　そうすると、両者の一致点及び相違点は次のとおりである。
　一致点
　遊技球の流下方向に変化を与える遊技部材を備える遊技盤と、
　本体部と、
　所定の表示領域を有する表示装置と、
　遊技動作を制御、及び前記遊技動作に応じて、前記表示領域における所定の演出を表示制御する制御機構とを備え、
　前記遊技盤の少なくとも一部は透光性部材で形成され、
　前記表示装置は、前記表示領域が前記透光性部材を介して視認可能になるよう前記本体部に備えられ、
　前記制御機構は、前記演出に関する情報を記憶した着脱可能な記憶手段を有し、前記本体部に備えられる、弾球遊技機。
　
　相違点
　（１）遊技盤が、本願発明では本体部に取り付けられるのに対し、引用発明１では遊技盤（遊戯板３）の背面に設置した表示装置（モニター部２）が本体部（遊戯機本体１）に取り付けられ、遊技盤と本体部との取付手段は明らかでない点。
　（２）制御機構が、本願発明では、遊技動作を制御する主制御基板と、前記遊技動作に応じて、表示領域における所定の演出を表示制御する副制御基板とを備えるのに対し、引用発明１では主制御基板と副制御基板とを備えるのかどうか記載されていない点。
　（３）演出に関する情報を記憶した着脱可能な記憶手段を、本願発明では副制御基板が有するのに対し、引用発明１では制御機構（コントロール基盤）が有する点。
　
　そこで、上記相違点（１）及び（３）について検討する。
　相違点（１）及び（３）の技術的な記載内容は、それぞれ上記相違点（Ａ）及び（Ｄ）の記載内容と同一であるから、相違点（１）及び（３）についてのそれぞれの検討内容は、上記相違点（Ａ）及び（Ｄ）についての検討内容の記載を援用する（但し、「相違点（Ａ）」及び「相違点（Ｄ）」は、それぞれ「相違点（１）」及び「相違点（３）」と読み替え、さらに「本願補正発明」は「本願発明」と読み替える。）。
　したがって、「周知・慣用の技術１及び５」を引用発明１に適用して、相違点（１）及び（３）に係る本願発明を特定する事項とすることは、当業者が容易になし得たものである。
　次に、上記相違点（２）について検討する。　
　制御機構が、遊技動作を制御する主制御基板と、前記遊技動作に応じて、表示領域における所定の演出を表示制御する副制御基板とを備えることは、例えば特開２０００−１１６９１５号公報に示された「遊技の統括的な制御を行う遊技制御装置５１と特図表示装置１８の画像表示を制御する表示制御装置５２とを備えた制御装置」（【要約】に記載された【解決手段】、【００３６】、【００４７】、【００５０】及び【図３】、【図６】並びに【図７】参照）、特開２０００−１４０３５５号公報に示された「遊技処理を実行する主制御部３と表示制御処理を実行する図柄制御部４とを備えた遊技制御部」（【０００７】、【０００９】、【００１１】、【００１７】、【００１８】及び【図１】参照）のように当該技術分野において周知・慣用の技術（以下、「周知・慣用の技術６」という。）であるから、引用発明１の制御機構に当該「周知・慣用の技術６」を適用して、相違点（２）に係る本願発明を特定する事項とすることは、当業者が容易になし得たものである。
　　　
　また、引用発明１は、遊技の種類を容易に変更することが可能なものであるから、本願発明が格別の効果を奏するものとは認められない。
　　　
第四、むすび
　以上のとおり、本願発明は、引用発明１及び「周知・慣用の技術１、５及び６」に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。